(57)【要約】【課題】  視覚障害者でも健常者でも携帯電話機の操作を簡単に、かつ、間違い無く行え、しかもその為のコストも大きく掛からないものを提供することである。【解決手段】    視覚障害者が携帯電話機に信号を入力する際に用いられる信号入力装置であって、  前記入力装置は、ケース体と、前記ケース体に設けられた前記携帯電話機に設けられている信号入力装置の入力釦と同様にして点字表記の入力釦６と、前記点字表記の入力釦６の作動による信号を前記携帯電話機の信号制御部に伝送する伝送手段と、前記点字表記の入力釦の作動に基づく信号に対応する音を発する音声手段７とを具備する。【選択図】    図１
2005244263.tif 000002
【特許請求の範囲】
【請求項１】
視覚障害者が携帯電話機に信号を入力する際に用いられる信号入力装置であって、
前記入力装置は、
ケース体と、
前記ケース体に設けられた前記携帯電話機に設けられている信号入力装置の入力釦と同様にして点字表記の入力釦と、
前記点字表記の入力釦の作動による信号を前記携帯電話機の信号制御部に伝送する伝送手段と、
前記点字表記の入力釦の作動に基づく信号に対応する音を発する音声手段
とを具備することを特徴とする信号入力装置。
【請求項２】
点字表記の入力釦と携帯電話機に設けられている信号入力装置の入力釦とは、点字表記の入力釦に設けられる表記が点字表記の差に過ぎないことを特徴とする請求項１の信号入力装置。
【請求項３】
携帯電話機に一体的に直結されるよう構成されてなることを特徴とする請求項１又は請求項２の信号入力装置。
【発明の詳細な説明】
【技術分野】
【０００１】
本発明は、特に視覚障害者が携帯電話機を使用するに際して用いる信号入力装置に関する。
【背景技術】
【０００２】
視覚障害者の使用に便利な電話機として、送話機の番号釦の数字を立体文字で構成すると共に、該番号釦の各内面にスイッチを設け、番号釦を押すと音声合成基板に電気接続されて該番号釦の番号（数字）が発せられるように構成した番号発生装置付きの電話機が提案（特開昭６２−２５８５４５号公報）されている。  
又、視覚障害者の使用に便利な装置として、点字を構成する各点を入力するよう形成された入力手段と、入力された点字を判別する文字判別手段と、判別された点字を確認用音声として出力する音声出力手段と、入力された点字が書き込まれる文書記憶手段とを含む視覚障害者が点字を音声で確認しながら入力することが出来るようにした視覚障害者用点字データ入力装置と、この視覚障害者用点字データ入力装置の文書記憶手段に書き込まれた点字データを印字する印字手段とを備えた視覚障害者用タイプライターが提案（特開平３−９８６３号公報）されている。
【０００３】
又、複数列×複数行のマトリクス状に配置されたキー群と、前記キー群を構成する各キーの操作を検出するキー検出部と、前記キー検出部で検出された前記キーの操作に応じた処理を実行する処理部と、音声を出力する音声出力部と、外部との間で通信する通信部とを備え、前記キー群には、当該キー群のうち横２列×縦３行の計６個の前記キーに対し点字を構成する各ドットが割り当られ、前記処理部は、前記キー検出部で検出された前記キーの操作に対応する点字を特定し、特定された当該点字を文字に変換して前記通信部を介して出力すると共に、変換された前記文字に基づいて音声合成データを生成し、前記音声出力部は、前記音声合成データに基づく音声を出力する通信用端末が提案（特開２００２−１４９３２０号公報）されている。
【０００４】
又、携帯電話本体と、この携帯電話本体が脱着自在に収納されるるケースとを備える視覚障害者用の携帯電話機において、ケースは、携帯電話本体の操作釦の表面を可撓性シート材で被覆しており、この可撓性シート材の表面には、裏面に位置する操作釦に対応する点字を突出して設けており、この点字が設けられた可撓性シート材が局部的に押されると携帯電話本体の操作釦が操作されて使用されるように構成された視覚障害者用の携帯電話機が提案（特開平１０−１９０７９７号公報）されている。
【０００５】
又、前帯、後帯および側帯を有する袋状のキャリングケースの前帯に、携帯電話装置の操作釦に対応するように点字用文字図形を形成し、このキャリングケースに携帯電話装置を収容して携帯電話装置を使用できるようにしたものが提案（特開平１０−１５５５３１号公報）されている。
【０００６】
又、機器を操作する為の操作場面ごとに操作機能を表示する画面と、その画面上の各操作機能を選択するタッチパネルとを有する機器操作装置において、視覚障害者であるか否かを判断する判定部と、テンキーから数字を入力するテンキー入力部と、前記操作機能に対する音声情報を出力する音出力部と、前記画面上に表示されている操作機能と同じ位置に触覚で識別可能な数字を配した型板を操作場面ごとに保持し、その型板を前記タッチパネル上に設置する型板制御部と、前記画面上に表示されている操作機能に対応する前記タッチパネル上の位置に接触することによってその操作機能を選択するタッチ入力部と、これらの各部を制御する制御部とを備え、前記制御部は、前記判定部で利用者が視覚障害者であると認識したときに、機器の操作を非視覚操作モードに移行させると共に、前記型板制御部により型板を操作場面に応じてタッチパネル上に設置し、利用者がその型板上の触覚で識別可能な数字を認識し、前記テンキー入力部でその数字を入力し、その数字に対応する操作機能の音声情報を前記音出力部で出力し、利用者が所望の機能であると判断したとき、前記タッチ入力部で選択した操作機能を実行させることによって、視覚障害者でもタッチパネル上で操作が出来るようにした機器操作装置が提案（特開２００３−６７１１９号公報）されている。
【特許文献１】特開昭６２−２５８５４５号公報
【特許文献２】特開平３−９８６３号公報
【特許文献３】特開２００２−１４９３２０号公報
【特許文献４】特開平１０−１９０７９７号公報
【特許文献５】特開平１０−１５５５３１号公報
【特許文献６】特開２００３−６７１１９号公報
【発明の開示】
【発明が解決しようとする課題】
【０００７】
ところで、特許文献１、特許文献２、及び特許文献３の技術思想は、例えば携帯電話機等の機器本体の情報入力部を視覚障害者用に特別に改造したものである。従って、視覚障害者が利用する上では、問題は無い。
【０００８】
しかしながら、この特別改造タイプの入力装置は、健常者にとっては、逆に、使用し難く、不要なものであり、兼用できないものである。そして、健常者の数と障害者の数とを比べると、健常者の方が格段に多いことから、入力部を視覚障害者用に改造した携帯電話機などの装置の販売量は少ないものとならざるを得ない。このことは、生産量が少ないことを意味するから、どうしてもコストが高いものとなる。
【０００９】
一方、特許文献４、特許文献５、及び特許文献６の技術思想は、携帯電話機のテンキーである情報入力部にテンキーの数字に該当する点字を表示したシートを載せておくことにより、視覚障害者でも使用できるようにしたものである。そして、健常者が使用する場合は、前記シートを用いないのみである。従って、視覚障害者は、通常の携帯電話機の他に、点字シートさえ持っておれば、携帯電話機を簡単に使用できる。つまり、健常者用に特別に改造した携帯電話機は要らない。要るのは通常の携帯電話機である。そして、点字シートのコストは携帯電話機に比べれば遥かに低廉である。
【００１０】
しかしながら、点字シートをテンキーの上に載せ、点字シートの上から指で力を加えて押下しても、目的とした位置のキー釦は、中々、押せない。すなわち、携帯電話機のキーは小さなものであるから、そして軟質シートと謂えども追従性がそれだけ劣ることから、シートの上からキー釦を押しても、例えば「２」の釦を押したつもりでも、「３」の釦が押されていたりするのである。このことは、実際に試してみると、直ちに、了解するであろう。
【００１１】
従って、本発明が解決しようとする課題は、視覚障害者でも健常者でも携帯電話機の操作を簡単に、かつ、間違い無く行え、しかもその為のコストも大きく掛からないものを提供することである。
【課題を解決するための手段】
【００１２】
前記の課題は、視覚障害者が携帯電話機に信号を入力する際に用いられる信号入力装置であって、
前記入力装置は、
ケース体と、
前記ケース体に設けられた前記携帯電話機に設けられている信号入力装置の入力釦と同様にして点字表記の入力釦と、
前記点字表記の入力釦の作動による信号を前記携帯電話機の信号制御部に伝送する伝送手段と、
前記点字表記の入力釦の作動に基づく信号に対応する音を発する音声手段
とを具備することを特徴とする信号入力装置によって解決される。
【００１３】
特に、視覚障害者が携帯電話機に信号を入力する際に用いられる信号入力装置であって、
前記入力装置は、
ケース体と、
前記ケース体に設けられた前記携帯電話機に設けられている信号入力装置の入力釦と同様にして点字表記の入力釦と、
前記点字表記の入力釦の作動による信号を前記携帯電話機の信号制御部に伝送する伝送手段と、
前記点字表記の入力釦の作動に基づく信号に対応する音を発する音声手段とを具備してなり、
前記点字表記の入力釦と携帯電話機に設けられている信号入力装置の入力釦とは、点字表記の入力釦に設けられる表記が点字表記の差に過ぎないことを特徴とする信号入力装置によって解決される。
【００１４】
更には、上記の信号入力装置は、携帯電話機に一体的に直結されるよう構成されてなるものが好ましい。
【発明の効果】
【００１５】
上記のように構成させた信号入力装置が用いられると、視覚障害者にとっては、通常、市販の携帯電話機の他に上記の信号入力装置が有れば十分である。
【００１６】
そして、携帯電話機は視覚障害者用の特別なものでは無いから、そのコストは低廉である。しかも、用意する信号入力装置は、特別タイプの携帯電話機に比べたならば、低廉である。
【００１７】
従って、健常者用の携帯電話機と視覚障害者用の携帯電話機と言った二種類の携帯電話機を必要とする社会全体が負担する費用と、健常者用の携帯電話機と本発明の信号入力装置とを必要とする社会全体が負担する費用とを考えたならば、即ち、社会全体で考察したならば、後者の方が低廉なものになる。
【００１８】
しかも、点字式の信号入力装置を用いたならば、点字シートを被せて入力する場合よりも、遥かに正確で、かつ、迅速に入力できる。すなわち、点字シートを被せて入力する場合に起き易い問題も起きない。
【００１９】
特に、点字式の信号入力装置は通常の携帯電話機の信号入力装置と同様に構成でき、即ち、点字表記を除けば同一なものに構成でき、通常の携帯電話機に少しでも慣れている障害者にしてみれば非常に好都合である。
【００２０】
そして、点字表記の入力釦の作動による信号を携帯電話機の信号制御部に伝送する伝送手段としては、有線・無線の有無を問わないが、有線形式のものがコスト面からは好ましい。
【００２１】
特に、点字式の信号入力装置を携帯電話機に対して一体的に直結されるよう構成していると、携帯電話機と信号入力装置とを別々に手にせずとも済み、即ち、片手で持つことが出来るから、極めて便利である。そして、このように構成させた場合には、信号の伝送を無線で行うよりも有線で行う方が低廉に出来る。
【発明を実施するための最良の形態】
【００２２】
図１は本発明になる信号入力装置が携帯電話機に取り付けられた状態での説明図、図２はブロック図、図３は使用具合の説明図である。
【００２３】
各図中、Ａは、市販の通常の携帯電話機（ＰＨＳ端末であっても良い。）である。この携帯電話機Ａがテンキー等からなる信号入力部１、液晶画面部２、アンテナ部３、及び信号入力部１で入力された信号を処理する制御部４などを備えていることは、周知の通りである。
【００２４】
Ｂは、本発明になる信号入力装置である。この信号入力装置Ｂは、携帯電話機Ａの入力部１の部分のケース部と同形状のケース体５を備えている。そして、このケース体５に設けられた外部接続端子（図示せず）を携帯電話機Ａの外部接続端子（図示せず）に差し込むことによって、互いに、電気的接続が行われると共に、機械的接続（合体）も行われるように構成されている。従って、ケース体５に設けられた外部接続端子（図示せず）を携帯電話機Ａの外部接続端子（図示せず）に差し込んだ場合に、ケース体５の部分を手にするだけでも、全体（携帯電話機Ａと信号入力装置Ｂ）を片手で保持できるようになっている。
【００２５】
ケース体５には、携帯電話機Ａのテンキー等からなる信号入力部１と同様な信号入力部６が設けられている。すなわち、「１」「２」「３」「４」「５」「６」「７」「８」「９」「０」「＊」「＃」などのキー（釦）、その他の種類のキー（釦）が設けられている。そして、これ等の釦を押下することによって、信号入力部１の釦を押下した場合と同様にして、信号が携帯電話機Ａの制御部４に入力され、所定の処理が行われ、通信などが行われる。
【００２６】
ところで、携帯電話機Ａのテンキー等からなる信号入力部１の釦には、図１からも判る通り、数字の「１」「２」「３」等が表示されているに過ぎないのであるが、ケース体５の信号入力部６の釦には、図１からも判る通り、点字表記がなされている。従って、視覚障害者にとっては、携帯電話機Ａの信号入力部１に対する操作性が悪いものの、ケース体５の信号入力部６に対する操作性は頗る良い。
【００２７】
ケース体１にはスピーカ等の音声発生装置７も内蔵されている。そして、信号入力部６を操作した場合に、その操作釦に対応した内容のものが発呼されるようになっている。
【００２８】
すなわち、視覚障害者が信号入力部６を操作した場合に、図３に示される如く、その釦に対応する信号が携帯電話機Ａの制御部４に入力されると共に、音声発生装置７にも入力され、対応する内容のものが発呼されるように構成されている。尚、液晶画面部２にも、その内容が表示されるようになっている。この表示は、携帯電話機Ａの信号入力部１の釦を押下して入力した場合には表示されるようになっているので、信号入力部６からの信号が携帯電話機Ａの制御部４に入力されるようになっておれば、それは当然に表示されるようになる。
【００２９】
上記のように構成させた信号入力装置Ｂが携帯電話機Ａに一体的に合体させられた複合機を、今、視覚障害者が手にし、そして信号入力部６を操作した場合、その操作釦は点字表記のものであるから、操作性が頗る良く、間違えることなく正確に、かつ、迅速に入力でき、更には操作釦に該当する内容が音声発生装置７からの音声によって確認できるから、仮に間違えた場合であっても、直ちに訂正がなされる。
【００３０】
そして、信号入力装置Ｂと携帯電話機Ａとは別体構成のものであるから、メーカーにとっては健常者用と視覚障害者用の二通りの携帯電話機を生産する必要が無く、携帯電話機は一通りで済み、それだけ大量生産が可能であるから、携帯電話機Ａの生産コストと信号入力装置Ｂの生産コストを足しても、二通りの携帯電話機を生産するコストよりも低廉なものとなり、社会が負担するコストが低廉なものである。
【００３１】
図４は、本発明になる信号入力装置が携帯電話機にケーブルを介して接続された状態での説明図である。
【００３２】
前記実施形態にあっては、信号入力装置Ｂと携帯電話機Ａとは一体的に合体される構造のものであり、信号入力装置Ｂの部分を片手で手にする場合でも、全体の複合機を片手で持つことが可能である。
【００３３】
これに対して、本実施形態にあっては、信号入力装置Ｂのケースと携帯電話機Ａのケースとの合体は行われず、信号入力装置Ｂと携帯電話機Ａとはケーブル８によって電気的に接続され、ケーブル８を介して信号の遣り取りが行われるようにしたに過ぎないものであるから、同一部分には同一符号を付し、詳細な説明は省略する。
【図面の簡単な説明】
【００３４】
【図１】本発明になる信号入力装置と携帯電話機とが一体結合された複合機全体の平面図
【図２】本発明になる信号入力装置と携帯電話機との複合機全体のブロック図
【図３】本発明になる信号入力装置と携帯電話機との複合機全体の使用状況の説明図
【図４】本発明になる他の実施形態の説明図
【符号の説明】
【００３５】
Ａ    携帯電話機
１    信号入力部
２    液晶画面部
３    アンテナ部
４    制御部
Ｂ    信号入力装置
５    ケース体
６    信号入力部
７    音声発生装置
８    ケーブル
特許出願人  日本電気株式会社
特許出願人  ＮＥＣモバイリング株式会社
代  理  人  宇      高      克      己
【図１】
2005244263.tif 000003
【図２】
2005244263.tif 000004
【図３】
2005244263.tif 000005
【図４】
2005244263.tif 000006